(57)【要約】  本発明の絶縁基体は、絶縁基板と、金属層と、接合材と、リード端子とを備えている。絶縁基板は、板状で上面から側面にかけた溝部を有している。金属層は、絶縁基板の上面に位置した第１金属層と、第１金属層と連続して、溝部の内面に位置した第２金属層とを有する。接合材は、金属層の上面に位置している。リード端子は、溝部と重なるとともに、接合材を介して第１金属層の上面に位置している。接合材は、リード端子を第１金属層に固定する第１接合材と、第１接合材と連続して、第２金属層の上面に位置した第２接合材とを有しており、溝部は、内壁が突出した突出部を有するとともに、第２接合材は、突出部とリード端子との間に位置している。
2018155282.tif 000002
【特許請求の範囲】
【請求項１】
上面から側面にかけて溝部を有する板状の絶縁基板と、
前記絶縁基板の上面に位置した第１金属層と、前記第１金属層と連続して、前記溝部の内面に位置した第２金属層とを有する金属層と、
前記金属層の上面に位置した接合材と、
上面視において前記溝部と重なるとともに、前記接合材を介して前記第１金属層の上面に位置したリード端子とを備えており、
前記接合材は、前記リード端子を前記第１金属層に固定する第１接合材と、前記第１接合材と連続して、前記第２金属層の上面に位置した第２接合材とを有しており、
前記溝部は、内壁が突出した突出部を有するとともに、前記第２接合材は、前記突出部と前記リード端子との間に位置していることを特徴とする絶縁基板。
【請求項２】
側面視において、前記突出部は、前記溝部の内壁同士が突出していることを特徴とする請求項１に記載の絶縁基板。
【請求項３】
前記第２接合材は、前記突出部よりも上側に前記突出部の下側よりも多く位置していることを特徴とする請求項１または請求項２に記載の絶縁基板。
【請求項４】
前記絶縁基板は、複数の絶縁層が積層されているとともに、
前記複数の絶縁層は、上面に前記第１金属層が位置した第１絶縁層と、
前記第１絶縁層の下面に位置した第２絶縁層とを有しており、
前記溝部は前記第１絶縁層の上面から側面にかけて位置していることを特徴とする請求項１〜３のいずれか１つに記載の絶縁基板。
【請求項５】
上面視において、前記溝部と重なる位置は、前記第２絶縁層の上面が露出していることを特徴とする請求項４に記載の絶縁基板。
【請求項６】
上面視において、前記溝部の幅は、前記第１金属層の幅よりも大きいことを特徴とする請求項１〜５のいずれか１つに記載の絶縁基板。
【請求項７】
上面に半導体素子が実装される基板と、
前記基板の前記実装領域を取り囲んで位置した、側壁に貫通孔を有する枠体と、
前記貫通孔に取り付けられた請求項１〜６のいずれか１つに記載の絶縁基板とを備えていることを特徴とする半導体パッケージ。
【請求項８】
請求項７に記載の半導体パッケージと、
前記半導体パッケージの前記実装領域に実装された半導体素子と、
前記半導体素子を覆って、前記半導体パッケージの前記枠体の上端に接合された蓋体とを備えていることを特徴とする半導体装置。
【発明の詳細な説明】
【技術分野】
【０００１】
本発明は、絶縁基体、絶縁基体を用いた半導体パッケージ、および半導体装置に関する。
【背景技術】
【０００２】
近年、携帯電話等の普及により、無線通信機器では、より高速化、大容量の情報を伝送するために高周波化がすすめられている。そのなかでも、高周波の信号を伝達する金属層が位置した絶縁基板と、金属層に固定されるとともに外部に信号を伝達するためのリード端子とを備えた絶縁基体が知られている（特開２００６−１７９８３９号公報参照）。【０００３】
特開２００６−１７９８３９号公報に開示された技術では、絶縁基板の側面に溝部を有しており、溝部にもリードを固定する接合材が位置している絶縁基体が記載されている。しかしながら、特許文献１の技術では、溝部が一定の幅であるために、金属層とリード端子との間に接合材が溜まり難い場合があった。
【発明の概要】
【０００４】
本発明の一実施形態に係る絶縁基体は、絶縁基板と、金属層と、接合材と、リード端子とを備えている。絶縁基板は、板状で上面から側面にかけた溝部を有している。金属層は、絶縁基板の上面に位置した第１金属層と、第１金属層と連続して、溝部の内面に位置した第２金属層とを有する。接合材は、金属層の上面に位置している。リード端子は、溝部と重なるとともに、接合材を介して第１金属層の上面に位置している。接合材は、リード端子を第１金属層に固定する第１接合材と、第１接合材と連続して、第２金属層の上面に位置した第２接合材とを有しており、溝部は、内壁が突出した突出部を有するとともに、第２接合材は、突出部とリード端子との間に位置している。
【０００５】
本発明の一実施形態に係る半導体パッケージは、基板と、枠体と、上述した絶縁基体を備えている。基板は、上面に半導体素子が実装される。枠体は、基板の実装領域を取り囲んで位置し、側壁に貫通孔を有している。上述した絶縁基体は、貫通孔に取り付けられている。
【０００６】
本発明の一実施形態に係る半導体装置は、上述した半導体パッケージと、半導体素子と、蓋体とを備えている。半導体素子は、半導体パッケージの実装領域に実装されている。蓋体は、半導体素子を覆って、半導体パッケージの枠体の上端に接合されている。
【図面の簡単な説明】
【０００７】
【図１】本発明の一実施形態に係る半導体装置の斜視図である。
【図２】図１に示した本発明の一実施形態に係る半導体装置のうち、Ａの拡大図である。
【図３】本発明の一実施形態に係る半導体パッケージを示す上面からの斜視図である。
【図４】本発明の一実施形態に係る半導体パッケージの上面からの平面図である。
【図５】図４に示した本発明の一実施形態に係る半導体パッケージの、Ｂ−Ｂ線での断面図である。
【図６】本発明の一実施形態に係る半導体パッケージの分解斜視図である。
【図７】本発明の一実施形態に係る絶縁基体の上面からの斜視図である。
【図８】本発明の一実施形態に係る絶縁基体の下面からの斜視図である。
【図９】本発明の一実施形態に係る絶縁基体（接合材なし）の上面からの斜視図である。
【図１０】本発明の他の実施形態に係る絶縁基体の上面からの斜視図である。
【図１１】本発明の他の実施形態に係る絶縁基体（接合材なし）の上面からの斜視図である。
【発明を実施するための形態】
【０００８】
本発明の実施形態に係る半導体装置は、後述する半導体パッケージおよび絶縁基体を備えている。絶縁基体は、半導体装置および半導体パッケージにおいて、例えば、半導体素子と外部回路とを電気的に接続して、電気信号を伝送するとともに入出力するための入出力端子として使用される。図１は、本発明の一実施形態に係る半導体装置の斜視図である。図１では、蓋体は取り外した状態で示している。また、図２は、図１に示した本発明の一実施形態に係る半導体装置のうち、Ａの拡大図である。以下、本発明の実施形態に係る半導体装置、半導体パッケージおよび絶縁基体について、図面を参照しながら説明する。
【０００９】
＜半導体装置の構成＞
図１は本発明の一実施形態に係る半導体装置１００の上面からの斜視図を示している。この図において、半導体装置１００は、本発明の実施形態に係る半導体パッケージ１０、半導体素子１１および蓋体１２を備えている。
【００１０】
半導体素子１１は、たとえばレーザーダイオード（ＬＤ：Laser Diode）である。半導体素子１１は、フォトダイオード（ＰＤ：Photo Diode）等であってもよい。ＬＤの場合には、枠体７に絶縁基体１を取り付ける貫通孔７１以外に、貫通孔を設けて光ファイバを取り付けてもよい。
【００１１】
蓋体１２は、枠体７の上端に、半導体パッケージ１０の内部を覆うように接合される。蓋体１２は、平面視において、矩形状であり、大きさが５ｍｍ×５ｍｍ〜４５ｍｍ×４５ｍｍで、高さが０．５ｍｍ〜３ｍｍである。蓋体１２は、たとえば、鉄、銅、ニッケル、クロム、コバルト、モリブデンまたはタングステンのような金属、あるいはこれらの金属の合金、たとえば銅−タングステン合金、銅−モリブデン合金、鉄−ニッケル−コバルト合金などを用いることができる。このような金属材料のインゴットに圧延加工法、打ち抜き加工法のような金属加工法を施すことによって、基板６を構成する金属部材を作製することができる。
【００１２】
＜半導体パッケージの構成＞
図３は、本発明の一実施形態に係る半導体パッケージを示す上面からの斜視図である。また、図４は、本発明の一実施形態に係る半導体パッケージの上面からの平面図である。また、図５は、図４に示した本発明の一実施形態に係る半導体パッケージの、Ｂ−Ｂ線での断面図である。そして、図６は、本発明の一実施形態に係る半導体パッケージの分解斜視図である。これらの図において、半導体パッケージ１０は、基板６、枠体７および上述した本発明の実施形態に係る絶縁基体１を備えている。
【００１３】
図３〜図６に示すように、基板６は、平面視において、例えば矩形状である。基板６は、大きさ５ｍｍ×５ｍｍ〜５０ｍｍ×５０ｍｍで、厚みが０．３ｍｍ〜３ｍｍである。
【００１４】
基板６の上面を取り囲むように、枠体７が位置している。枠体７は、平面視において矩形状であり、大きさが５ｍｍ×５ｍｍ〜４５ｍｍ×４５ｍｍで、高さが３ｍｍ〜１０ｍｍである。また、厚みは０．５ｍｍ〜３ｍｍである。枠体７の外縁は、平面視において、基板６よりも小さい。このことによって、後述する絶縁基体１が基板６に強固に固定しやすくなる。
【００１５】
基板６、枠体７は、たとえば、鉄、銅、ニッケル、クロム、コバルト、モリブデンまたはタングステンのような金属、あるいはこれらの金属の合金、たとえば銅−タングステン合金、銅−モリブデン合金、鉄−ニッケル−コバルト合金などを用いることができる。このような金属材料のインゴットに圧延加工法、打ち抜き加工法のような金属加工法を施すことによって、基板６を構成する金属部材を作製することができる。
【００１６】
図６に示すように、枠体７の側壁部には貫通孔７１が位置している。貫通孔７１には、後述する絶縁基体１が挿入固定されている。つまり、半導体パッケージ１０において、絶縁基体１は、入出力端子として使用される。
【００１７】
＜絶縁基体の構成＞
図７は、本発明の一実施形態に係る絶縁基体の上面からの斜視図である。また、図８は、本発明の一実施形態に係る絶縁基体の下面からの斜視図である。また、図９は、本発明の一実施形態に係る絶縁基体（接合材なし）の上面からの斜視図である。また、図１０は、本発明の他の実施形態に係る絶縁基体の上面からの斜視図である。そして、図１１は、本発明の他の実施形態に係る絶縁基体（接合材なし）の上面からの斜視図である。図９、図１０および図１１においては、説明の便宜上リード端子５を省略している。これらの図において、絶縁基体１は、絶縁基板２、金属層３、接合材４、リード端子５を備えている。また、図１０および図１１に示すように、他の実施形態に係る絶縁基体１としては、上述した構成に加えて、絶縁基板２の上面に立壁部８を有していてもよい。
【００１８】
図７および図８に示すように、絶縁基板２は、複数の誘電体からなる第１絶縁層２２および第２絶縁層２３が積層されてなる。絶縁基板２は、たとえば平面視において、矩形状であり、大きさが２ｍｍ×２ｍｍ〜２０ｍｍ×２０ｍｍで、高さが０．５ｍｍ〜５ｍｍである。絶縁基板２を構成する絶縁層の各層は、誘電体材料からなる。誘電体材料としては、例えば、酸化アルミニウム質焼結体、ムライト質焼結体、炭化珪素質焼結体、窒化アルミニウム質焼結体または窒化珪素質焼結体のようなセラミック材料、またはガラスセラミック材料を用いることができる。
【００１９】
絶縁基板２の上面（リード端子５が接合される面）から側面にかけては、溝部２１が位置している。溝部２１は、側面視において、たとえば矩形状であり、大きさが０．３ｍｍ×０．３ｍｍ〜４ｍｍ×４ｍｍである。溝部２１は、平面視において、たとえば深さが０．３ｍｍ〜４ｍｍである。
【００２０】
溝部２１は、一部の内壁が突出した突出部２１１を有している。突出部２１１は、上面視において、溝部２１の幅の５％〜７０％突出している。突出部２１１は、溝部２１の幅の５％以上突出していることによって、より接合材４が突出部２１１からリード端子５側に溜まりやすくなる。また、突出部２１１は、溝部２１の幅の７０％を超えて突出していないことによって、接合材４が突出部２１１から第２絶縁層２３側にも溜めることができる。その結果、突出部２１１は、接合材４を突出部２１１からリード端子５側に溜めることができるとともに、リード端子５付近に余分な接合材４を溜めることを抑制することができる。
【００２１】
突出部２１１は、溝部２１において、第１絶縁層２２の側壁（溝部が位置している側壁）の積層方向（第２絶縁層２３からリード端子５の方向）の中間よりも下方に位置している。突出部２１１が、中間よりも下方に位置していることによって、後述するリード端子５に近い、突出部２１１よりリード端子５側の溝部２１の箇所に接合材４をより多く溜めやすくすることができるとともに、リード端子５に遠い、突出部２１１より第２絶縁層２３側の溝部２１の箇所に接合材４をより少なくすることができる。さらに、突出部２１１よりリード端子５側の接合材４と連続するように溜めやすくすることができる。
【００２２】
また、突出部２１１は、第１絶縁層２２の側壁を側面視して、溝部２１の内壁（絶縁基板２の上面に対して直交する方向の壁部）の一方ではなく、両方の内壁同士が突出する。また、図５に示す溝部２１の断面視において、溝部２１の内壁から第１絶縁層２２の側壁の方向に連続して突出している。また、突出部２１１は、溝部２１において、溝部２１の内壁に直交する方向における高さが、同じ高さで溝部２１の内壁に沿って連続するように全てが突出している。
【００２３】
なお、突出部２１１は、第１絶縁層２２の側壁を側面視において、溝部２１の両方の内壁同士が同じ上述の高さで突出している。このことによって、突出部２１１からリード端子５側の溝部２１の箇所において、リード端子５の両端側（溝部２１の内壁側）に接合材４を均等、かつより多く設けることができる。このため、上述のリード端子５の両端側において、接合材４を介したリード端子５と金属層３との接合強度を向上させることができる。また、リード端子５に外部からの力が加えられる際に、リード端子５と金属層３との接合部に作用する力を接合材４によって拘束することができる。その結果、本発明の一実施形態に係る絶縁基体１は、絶縁基板２にクラックおよび割れが生じるおそれを低減することができる。
【００２４】
絶縁基板２は、下面（絶縁基板２の上面に対向する面）に接地導体が位置していてもよい。接地導体は、たとえば平面視において、矩形状であり、大きさが２ｍｍ×２ｍｍ〜２０ｍｍ×２０ｍｍである。また、接地導体は、たとえば、タングステン、モリブデン、マンガン、ニッケルおよび金などの金属材料から成っている。
【００２５】
図９に示すように、絶縁基板２の上面、つまり第１絶縁層２２の上面から溝部２１の内壁にかけて、金属層３が位置している。この金属層３は、絶縁基板２の上面に、電気信号を伝達する線路導体である第１金属層３１と、溝部２１の内壁に位置している第２金属層３２とを有している。第１金属層３１は、溝部２１の上側（リード端子５側）の端部から、溝部２１が位置している第１絶縁層２２の側壁と対向する他方の側壁の方向に延びるように位置している。第１金属層３１と第２金属層３２とは、連続的に位置している。金属層３は、たとえば、金、銀、銅、ニッケル、タングステン、モリブデンおよびマンガンなどの金属材料から成り、第１絶縁層２２の表面にメタライズ層やめっき層等の形態で同時焼成されたり、金属めっきされたりしてなる。
【００２６】
第１金属層３１は、少なくとも絶縁基板２の下面または第１絶縁層２２と第２絶縁層２３との間に接地導体が位置している場合には、各層の接地導体と重なるように位置している。このような構成であることにより、第１金属層３１と各層の接地導体は、ストリップライン構造となり、高周波信号の伝送を円滑に行なうことができる。
【００２７】
また、溝部２１は、内壁に第２金属層３２が位置している。第２金属層３２は、第１金属層３１と連続して位置している。第２金属層３２は、例えば溝部２１の内壁の全部に位置している。また、第２金属層３２は、たとえば、金、銀、銅、ニッケル、タングステン、モリブデンおよびマンガンなどの金属材料から成り、第１金属層３１と同様に、溝部２１の内壁にメタライズ層やめっき層等の形態で同時焼成されたり、金属めっきされたりしてなる。
【００２８】
図１０に示すように、金属層３の表面には接合材４が位置している。接合材４は、後述するリード端子５を、金属層３を介して絶縁基板２の上面に接合固定する。接合材４は、第１金属層３１の表面に位置して、リード端子５を第１金属層３１に接合固定する第１接合材４１と、溝部２１の内壁の第２金属層３２を介して位置した第２接合材４２とを有している。接合材４は、第１接合材４１と第２接合材４２とが連続するように位置している。接合材４は、例えば、銀ろうから成る。他にも、りん銅ろう、アルミマグネシウムろう等から成っていてもよい。
【００２９】
第１接合材４１は、第１金属層３１の表面に位置している。リード端子５は、第１接合材４１に接合固定される。
【００３０】
第２接合材４２は、溝部２１の突出部２１１と、リード端子５との間に位置している。また、第２接合材４２は、突出部２１１とリード端子５との間の他にも、突出部２１１の下方にも位置している。つまり、突出部２１１と、第２絶縁層２３との間に位置した第２金属層３２に位置している。この場合には、第２接合材４２は、溝部２１の内壁において、突出部２１１の上側（リード端子５側）に、突出部２１１の下側（第２絶縁層２３側）よりも多く位置している。このことによって、突出部２１１と第２絶縁層２３との間に位置した第２金属層３２に余分な接合材４が溜り、接合することがない。また、接合材４が突出部２１１とリード端子５との間に位置した第２金属層３２に溜められて、リード端子５を接合固定することにより、リード端子５と金属層３との接合強度を向上させることができる。
【００３１】
第２接合材４２が、突出部２１１と第２絶縁層２３との間に位置した第２金属層３２に多く溜まると、第２絶縁層２３と第２接合材４２との熱膨張係数差によって、熱が加わった際に、突出部２１１を含む第２絶縁層２３にクラックおよび割れが生じるおそれがある。突出部２１１があることによって、接合材４を介したリード端子５と第２金属層３２との接合強度を向上させるために、接合材４の量を多くしたとしても、突出部２１１と第２絶縁層２３との間に位置した第２金属層３２に流れて固定される接合材４の量を少なく保つことができる。加えて、突出部２１１とリード端子５との間に位置した第２金属層３２に流れて固定される接合材４の量を多く保つことができる。
【００３２】
以上のような構成であることによって、本発明の実施形態に係る絶縁基体１は、絶縁基板２とリード端子５との接合強度を向上させることができるとともに、絶縁基板２にクラックや割れが生じる可能性を低減することができる。これは、リード端子５と絶縁基板２に位置した溝部２１の突出部２１１との間に接合材４が溜まりやすくなるためである。また、突出部２１１が有ることによって、突出部２１より下側に溜められる接合材４の量を少なくすることができる。このため、接合材４がリード端子５の周囲に溜まりやすくなる。つまり、リード端子５の絶縁基板２に対する接合強度が向上し、リード端子５に加えられる外部からの力に起因してリード端子５と金属層３との接合部に作用する応力を低減することができる。その結果、絶縁基板２にクラックおよび割れが生じる可能性を低減する。ひいては、安定した信号伝送を行なうことができる。
【００３３】
溝部２１は、第１絶縁層２２のみに位置している。この場合には、第２絶縁層の側面に溝は設けられていない。このことによって、絶縁基板２としての剛性を保つことができる。
【００３４】
第２金属層３２は、上面視において、溝部２１と重なる位置の第２絶縁層２３の上面には設けられていない。つまり、上面視において、第２絶縁層２３の上面は露出している。このことによって、第２絶縁層２３は、第２金属層３２および第２接合材４２との間の熱膨張係数差による応力の負荷がかからない。よって、第２絶縁層２３にクラックおよび割れが生じるおそれを低減することができる。
【００３５】
溝部２１の幅は、上面視において、第１金属層３１の幅よりも小さい。このことによって、接合材４は、リード端子５の第１金属層３１と対向する面と溝部２１の内壁によって取り囲まれる空間に溜められることによりに、より強固にリード端子５を金属層３に固定することができる。
【００３６】
図１０および図１１に示すように、絶縁基体１は、第１絶縁層２２の上面に立壁部８が位置していてもよい。立壁部８が位置していることによって、信号を伝送する第１金属層３１を外部から保護することができる。また、この場合には、立壁部８の上面が後述する枠体７と接合される。特に、枠体７が金属材料から成り、絶縁基体１がセラミック材料から成る場合には、互いの熱膨張係数差によって応力が生じる。このとき、絶縁基体１に負荷がかかったとしても、第１金属層３１に影響を及ぼしにくくすることができるとともに、第１金属層３１と枠体７との絶縁性を維持することができる。
【００３７】
立壁部８は、例えば、誘電体材料からなる。誘電体材料としては、例えば、酸化アルミニウム質焼結体、ムライト質焼結体、炭化珪素質焼結体、窒化アルミニウム質焼結体または窒化珪素質焼結体のようなセラミック材料、またはガラスセラミック材料を用いることができる。立壁部８は、絶縁基板２と一体的に形成されているのがよい。一体的に形成されていることによって、接合するための接合材等が不要であるため、工程の簡略化および薄型化を可能とすることができる。また、絶縁基板２、接合材および立壁部８との間の熱膨張係数差による応力が生じることもないため、絶縁基板２および立壁部８への応力の負荷を低減させることができる。
【００３８】
＜絶縁基体の製造方法＞
絶縁基板２は、たとえば複数の第１絶縁層２２および第２絶縁層２３が酸化アルミニウム焼結体からなる場合であれば、次のようにして製作される。まず、酸化アルミニウムからなる原料粉末に適当な有機バインダおよび溶剤等を添加混合してスラリーを作製する。次に、スラリーをドクターブレード法等の成形法でシート状に成形することにより複数枚のセラミックグリーンシートを作製する。そして、セラミックグリーンシートを切断加工や打ち抜き加工により適当な形状とする。このとき、一番上方に位置するグリーンシートの一部に溝部２１になる溝が形成されている。その後、複数のセラミックグリーンシートを積層して、圧着する。
【００３９】
次に、金属層３（第１金属層３１、第２金属層３２）および各層の上面に位置している接地導体は、たとえば、タングステンやモリブデン、マンガン等の高融点の金属からなるメタライズ層からなる場合であれば、次のようにして形成することができる。すなわち、まず高融点の金属の粉末を有機溶剤およびバインダとともによく混ざるように練って作製した金属ペーストを、第１絶縁層２２および第２絶縁層２３の上面となるセラミックグリーンシートの所定部位にスクリーン印刷等の方法で印刷する。その後、これらを積層されたセラミックグリーンシートとともに、還元雰囲気中において約１６００℃の温度で焼成することによって絶縁基板２を作製することができる。
【００４０】
以上の工程によって、絶縁基板２の上面や内部、つまり絶縁層の間にメタライズ層が金属層および各層の上面に位置した接地導体として被着される。
【００４１】
以上、本発明は上述の実施形態に限定されるものではなく、本発明の要旨を逸脱しない範囲において種々の変更等が可能である。さらに、特許請求の範囲に属する変更等は全て本発明の範囲内のものである。
【符号の説明】
【００４２】
１  絶縁基体
２  絶縁基板
２１  溝部
２１１  突出部
２２  第１絶縁層
２３  第２絶縁層
２４  接地導体層
３  金属層
３１  第１金属層
３２  第２金属層
４  接合材
４１  第１接合材
４２  第２接合材
５  リード端子
６  基板
６１  実装領域
７  枠体
７１  貫通孔
８  立壁部
１０  半導体パッケージ
１１  半導体素子
１２  蓋体
１００  半導体装置
【図１】
2018155282.tif 000003
【図２】
2018155282.tif 000004
【図３】
2018155282.tif 000005
【図４】
2018155282.tif 000006
【図５】
2018155282.tif 000007
【図６】
2018155282.tif 000008
【図７】
2018155282.tif 000009
【図８】
2018155282.tif 000010
【図９】
2018155282.tif 000011
【図１０】
2018155282.tif 000012
【図１１】
2018155282.tif 000013
【国際調査報告】
2018155282.tif 000014
2018155282.tif 000015